(57)【要約】【課題】操作性を向上しやすい。【解決手段】棒状の像を窓部６に向かって表示する円盤部材７が円筒部３内に設けられている。円盤部材７の軸８にはプーリ１２が固定されている。ハンドル９の軸１０にはプーリ１１の軸１１ａが連結している。プーリ１１とプーリ１２との間にはベルト１４が巻き掛けられている。ハンドル９を回すと、これに連動して円盤部材７が回転する。【選択図】図１
2013094661.tif 000002
【特許請求の範囲】
【請求項１】
外部と内部とを連通させる開口を有する筐体と、
前記筐体内に配置され、前記開口に向かう一方向に交差する方向に沿った棒状の像を前記開口に向かって表示する表示部材と、
前記一方向に沿った第１の回転軸に関して前記表示部材を回転可能に支持する第１の支持部材と、
前記一方向に交差する方向に関して前記筐体から離隔した被操作部材と、
前記一方向に沿った第２の回転軸に関して前記被操作部材を回転可能に支持する第２の支持部材と、
前記被操作部材が回転した際にその回転と同じ方向に前記表示部材が回転するように前記被操作部材と前記表示部材とを連動させる第１の連動手段と、
前記被操作部材を前記第２の回転軸に関して回転させるのに必要な力を調節可能な調節手段と、
第３の回転軸の回転方向に関する位置を検出するエンコーダと、
前記表示部材が回転した際にその回転と同じ方向に前記第３の回転軸が回転するように前記表示部材と前記第３の回転軸とを連動させる第２の連動手段とを備えていることを特徴とする検査装置。
【請求項２】
前記第１の連動手段が、前記被操作部材に固定された第１の回転体と、前記表示部材に固定された第２の回転体と、前記第１及び第２の回転体と当接しつつ移動することで、一方の回転体から他方の回転体へと駆動力を伝達する１又は複数の伝達部材とを有しており、
前記調節手段が、前記第１及び第２の回転体、並びに、伝達部材のいずれかの移動に抗する力を発生させると共に、その力の大きさを調整可能に構成されていることを特徴とする請求項１に記載の検査装置。
【請求項３】
前記伝達部材が、前記第１及び第２の回転体間に掛け渡された、弾性材料からなるベルト部材であり、
前記調節手段が、前記第１及び第２の回転体間の距離を変更可能な変更手段を有していることを特徴とする請求項２に記載の検査装置。
【請求項４】
前記一方向に沿って前記開口の外部へと突出する窓部が前記開口に形成されており、
前記窓部の少なくとも一部が弾性材料からなることを特徴とする請求項１〜３のいずれか１項に記載の検査装置。
【請求項５】
ユーザによる入力を受け付ける第１の入力手段と、
前記エンコーダによる検出結果を表示する表示手段と、
前記第１の入力手段によって入力が受け付けられたタイミングにおける前記表示部材の回転方向に関する位置を前記表示手段に表示させる制御手段とをさらに備えていることを特徴とする請求項１〜４のいずれか１項に記載の検査装置。
【請求項６】
ユーザによる入力を受け付ける第２の入力手段をさらに備えており、
前記制御手段が、
前記第２の入力手段によって入力が受け付けられた後に、前記第１の入力手段によって入力が受け付けられたタイミングにおける前記表示部材の回転方向に関する位置を前記表示手段に表示させることを特徴とする請求項５に記載の検査装置。
【発明の詳細な説明】
【技術分野】
【０００１】
本発明は、検査装置、特に、棒状の像を表示する表示部材を回転可能な検査装置に関する。
【背景技術】
【０００２】
自覚的視性垂直位検査（又は自覚的視性水平位検査）は、被験者にとっての自覚的な垂直位（又は水平位）と客観的な垂直位（又は水平位）とのずれを測定する検査である。非特許文献１では、この検査に用いる装置として、望遠鏡型の測定装置が提案されている。この装置は、円筒形状の本体を有しており、本体の一端にはダイヤルが設けられている。ダイヤルの内表面には視標が付されており、被験者は、本体の他端から本体内部を通じてダイヤル内の視標を覗くことができる。被験者は、本体を水平に配置すると共に、視標を目視しながらダイヤルを操作して視標を回転させる。そして、垂直に配置されたと被験者が自覚した視標の位置と実際の視標の位置とのずれが、ダイヤルの角度目盛りから読み取られる。
【先行技術文献】
【非特許文献】
【０００３】
【非特許文献１】Ｅｑｕｉｌｉｂｒｉｕｍ  Ｒｅｓｅａｒｃｈ  Ｖｏｌ．６９（６）  ４３２〜４３６ページ，２０１０
【発明の概要】
【発明が解決しようとする課題】
【０００４】
非特許文献１の装置では、視標を目視できる位置に被験者の顔を配置すると、ダイヤルはおのずと視線の先に配置されることとなる。したがって、ダイヤルを操作するためには必ず手を視線の高さまで上げなければならない。このように、視標がダイヤルに直接付されていると、ダイヤルと被験者との位置関係がおのずと固定され、ダイヤルを操作しにくい装置となるおそれがある。
【０００５】
本発明の目的は、操作性を向上しやすい検査装置を提供することにある。
【課題を解決するための手段】
【０００６】
本発明の検査装置は、外部と内部とを連通させる開口を有する筐体と、前記筐体内に配置され、前記開口に向かう一方向に交差する方向に沿った棒状の像を前記開口に向かって表示する表示部材と、前記一方向に沿った第１の回転軸に関して前記表示部材を回転可能に支持する第１の支持部材と、前記一方向に交差する方向に関して前記筐体から離隔した被操作部材と、前記一方向に沿った第２の回転軸に関して前記被操作部材を回転可能に支持する第２の支持部材と、前記被操作部材が回転した際にその回転と同じ方向に前記表示部材が回転するように前記被操作部材と前記表示部材とを連動させる第１の連動手段と、前記被操作部材を前記第２の回転軸に関して回転させるのに必要な力を調節可能な調節手段と、第３の回転軸の回転方向に関する位置を検出するエンコーダと、前記表示部材が回転した際にその回転と同じ方向に前記第３の回転軸が回転するように前記表示部材と前記第３の回転軸とを連動させる第２の連動手段とを備えている。
【発明の効果】
【０００７】
被操作部材と表示部材とを連動させる連動手段を設けることで、被操作部材を筐体から離隔して配置できる。このため、被操作部材と表示部材との位置関係を比較的自由に調整できる。したがって、操作性を向上しやすい装置構成が実現する。例えば、被操作部材を筐体の下方に配置すれば、被験者は操作のために手を上げておく必要がなくなる。
【図面の簡単な説明】
【０００８】
【図１】本発明の一実施形態に係る検査装置の正面図である。
【図２】検査装置の左側面図である。
【図３】図３（ａ）は検査装置の右側面図である。図３（ｂ）は、図３（ａ）のストッパーボルト付近の拡大図である。
【図４】図１の検査装置内に配置された円盤部材の左側面図である。
【図５】制御部周辺の電気的構成を示すブロック図である。
【図６】検査装置を使用して実施する検査の流れを示すフローチャートである。
【発明を実施するための形態】
【０００９】
本発明の一実施形態に係る検査装置１について図１〜図５を参照しつつ説明する。
【００１０】
検査装置１は、図１に示すように、本体２を有している。本体２は、円筒部３、制御ボックス４及び伝達機構収容部５を有している。円筒部３、制御ボックス４及び伝達機構収容部５は、内部に複数の部材を収容している。伝達機構収容部５は、水平方向に関して、固定板１６を挟んで円筒部３の一端に固定されている。伝達機構収容部５は、円筒部３より若干上方まで延びている。制御ボックス４は、円筒部３の上面であって、円筒部３と伝達機構収容部５の上部との間に配置され、円筒部３及び伝達機構収容部５に固定されている。
【００１１】
本体２下部には第１脚部２１〜第３脚部２３が固定されている。第１脚部２１は、上部２１ａ及び下部２１ｂを有している。上部２１ａは、円筒部３において伝達機構収容部５とは反対側の端部に固定されている。下部２１ｂは上部２１ａに対して着脱可能である。第１脚部２１の下部２１ｂの下端には水平部２５が固定されている。水平部２５の両端のそれぞれには、接地部２４が、図１の矢印Ａの方向に回転させることで鉛直方向に関する位置を調整できるように固定されている。第２脚部２２及び第３脚部２３は、互いに同様の構成を有しており、それぞれ上部及び下部からなる。例えば、第２脚部の上部２２ａは、固定板１６の下端部に固定されている。下部２２ｂは上部２２ａに対して着脱可能である。下部２２ｂの下端には、接地部２４が、図１の矢印Ｂの方向に回転させることで鉛直方向に関する位置を調整できるように固定されている。
【００１２】
このように、第１脚部２１〜第３脚部２３のそれぞれが、上部に対して下部が着脱可能に構成されている。これより、装置使用時には下部を上部に取り付けて使用すると共に、使用時以外には、下部を上部から取り外して装置全体を箱や棚等にコンパクトに収容できる。また、鉛直方向に関して接地部２４の位置をそれぞれ調整できるので、装置を載せた台や床に多少の傾斜や凹凸があっても、装置本体２を水平に配置することが可能である。以下、各部材の方向に関する説明においては、装置本体２が水平に配置されていることを前提とする。
【００１３】
次に、円筒部３、制御ボックス４及び伝達機構収容部５のそれぞれについてより詳細に説明する。円筒部３は、円筒形の筐体を有している。この筐体は、中心軸が図１の左右方向（本発明における一方向）に沿うように配置されている。筐体の一端には開口３ａが形成されており、この開口３ａを通じて円筒部３の内部と外部とが連通している。開口３ａには窓部６が設けられている。
【００１４】
窓部６は、ウレタンフォームなどの弾力性のあるスポンジ状の弾性素材で形成されている。弾性素材としては、ゴムなどのその他の弾性材料が用いられてもよい。窓部６は、図１及び図２に示すように筒状であり、図２において概略的に楕円形状を有している。窓部６は、被験者が側面から顔の上部を窓部６に押し付けると、両眼がちょうど窓部６の開口３ａ内に収まる大きさに調整されている。窓部６は、鉛直方向に関して円筒部３のちょうど中央に配置されている。被験者の両眼の周囲が窓部６に押し付けられると、弾性素材の変形により顔面が窓部６に隙間なく密着しやすい。被験者の顔面が窓部６に隙間なく密着すると、窓部６が密閉される。
【００１５】
円筒部３内には、中空の円盤部材７（表示部材）が設けられている。円盤部材７の円形の表面には、図４に示すように、その直径に沿ってスリット７ａが形成されている。スリット７ａは、直径の一端付近から他端付近まで延びている。円盤部材７内には、図１に示すようにチューブ状の発光体３１が設けられている。発光体３１には、ネオン管やＬＥＤなど、どのような方式の発光体が用いられてもよい。発光体３１から射出される光のオン、オフ及び強度は、後述の制御部３２によって制御される。
【００１６】
円盤部材７は、図１に示すように、円筒部３内において、水平方向に関して窓部６とは反対側の端部に、鉛直方向に関して円筒部３の中央に配置されている。発光体３１が点灯すると、発光体３１からの光がスリット７ａを介して窓部６に向かって射出される。これにより、円盤部材７は、スリット７ａに沿った棒状の像を窓部６に向かって表示する。円盤部材７において、窓部６とは反対側の側面には、円盤軸８が固定されている。円盤軸８は、図１の左右方向に沿っており、円盤部材７の中心軸の位置に配置されている。
【００１７】
円筒部３内には、円盤部材７及び円盤軸８以外の部材は何も設けられておらず、円盤部材７以外の部分は空洞である。また、窓部６を密閉してしまうと、円盤部材７からの光以外に円筒部３内の空間に光が入らないように、円筒部３の内表面ができるだけ厳密な遮光性を有していることが好ましい。円盤部材７以外からの光が入り込み、円筒部３内の幾何的構造が目視できてしまうと、被験者が円筒部３内の構造との対比から垂直方向を類推しやすくなり、検査の精度が低下するおそれがあるためである。
【００１８】
円筒部３の下方にはハンドル９が設けられている。ハンドル９は、図１の左右方向に沿ったハンドル軸１０に固定されている。ハンドル軸１０は、ハンドル軸支部材４０に回転可能に支持されている。ハンドル軸支部材４０は後述の伝達機構１００の一部材である。
【００１９】
伝達機構収容部５は、下方に開口した筐体を有している。筐体内には、ハンドル９の回転によって発生した駆動力を円盤部材７や後述のエンコーダ３３に伝達する伝達機構１００が収容されている。伝達機構１００は、円盤軸８を支持する支持部材１７を有している。円盤軸８は、一端において支持部材１７に、他端付近において固定板１６に、回転可能に支持されている。
【００２０】
また、伝達機構１００は、ハンドル軸支部材４０、第１プーリ１１〜第３プーリ１３、並びに、第１ベルト１４及び第２ベルト１５を有している。ハンドル軸支部材４０は、図３（ａ）の矢印Ｃの方向に回転可能に軸支部４１によって固定板１６に支持されている。ハンドル軸支部材４０は、軸支部４１から斜め下方に沿ったアーム部４０ａと、アーム部４０ａの下端付近から上方へと突出した突出部４０ｂとを有している。アーム部４０ａにおいて軸支部４１とは反対側の端部には、図１の右方に向かって突出したグリップ４２が固定されている。アーム部４０ａの長さ方向にほぼ中央には、ハンドル軸１０を回転可能に支持する軸支部４３が設けられている。
【００２１】
アーム部４０ａにおいて、軸支部４１と軸支部４３との間には、ストッパー板４４が固定されている。ストッパー板４４は、アーム部４０ａにおいて、図３（ａ）の左斜め下に面した側面に固定されている。図３（ａ）において、ストッパー板４４のさらに左斜め下には、ストッパーボルト４５が配置されている。ストッパーボルト４５は、支持金具４６によって固定板１６に取り付けられている。支持金具４６は、図３（ｂ）の矢印Ｅに沿ってボルト頭部が首を振るように回転可能に固定板１６に支持されている。ストッパーボルト４５の螺子部は、支持金具４６側の螺子孔に嵌合している。ストッパーボルト４５を回転させると、図３（ｂ）に示すように、ボルト頭部を支持金具４６から矢印Ｄに沿ってストッパー板４４に向かって出し入れすることができる。通常、ストッパーボルト４５はボルト頭の表面がストッパー板４４の側面に平行に当接した状態に配置される。これにより、ハンドル軸支部材４０がストッパーボルト４５に支持される。
【００２２】
突出部４０ｂは、図３（ａ）に示すように、矢印Ｃに沿った回転方向にほぼ沿うように湾曲しており、回転方向に沿って延びるスリット４０ｃが形成されている。スリット４０ｃには、緊締具４７の螺子部が貫通している。緊締具４７の螺子部は、スリット４０ｃを貫通すると共に、固定板１６に形成された螺子孔と嵌合している。固定板１６に対して緊締具４７を締め付けることにより、緊締具４７と固定板１６との間に突出部４０ｂを挟みこんで固定できる。逆に、固定板１６に対して緊締具４７を緩めると、グリップ４２を掴んで移動させることにより、矢印の方向にハンドル軸支部材４０を回転させることができる。
【００２３】
第１プーリ１１〜第３プーリ１３は、図３（ａ）に示すように、いずれも円盤形状を有しており、周面には多数の歯が周方向に沿って配列されている。第１プーリ１１（第１の回転体）及び第２プーリ１２（第２の回転体）は互いに同じ大きさを有し、歯の構成も同様である。第３プーリ１３はこれらのプーリ中で最も大きい。第１プーリ１１は、図１に示すように、ハンドル９との間に軸支部４３を挟む位置に配置されている。第１プーリ１１には、図１の左右方向に沿って延びる軸１１ａが固定されており、この軸１１ａはハンドル軸１０に連結されている。第２プーリ１２及び第３プーリ１３は、円盤軸８に固定されている。第１ベルト１４（伝達部材）は第１プーリ１１と第２プーリ１２との間に掛け渡されており、第２ベルト１５は第３プーリ１３と後述のエンコーダ３３の軸３３ａとの間に掛け渡されている。第１ベルト１４のプーリ側の周面には、第１プーリ１１の歯及び第２プーリ１２の歯とちょうど噛み合うように構成された歯が周方向に沿って配列されている。第２ベルト１５のプーリ側の周面には、第３プーリ１３の歯及びエンコーダ３３の軸３３ａの歯（後述）とちょうど噛み合うように構成された歯が周方向に沿って配列されている。
【００２４】
伝達機構１００は、円盤部材７の基準位置を規定する規定機構を有している。円盤部材７の基準位置とは、スリット７ａが鉛直方向に沿って配置される位置（図４に示す位置）である。規定機構は、第３プーリ１３及び固定板１６のそれぞれに形成された孔と、調整ピン５１とからなる。２つの孔の位置は、図３（ａ）の視点で互いに一致した場合に、円盤部材７のスリット７ａがちょうど鉛直方向に沿うように調整されている。調整ピン５１は、孔よりわずかに径が小さく形成されている。孔の位置を揃えた上で調整ピン５１を両方の孔に挿し通すことで、円盤部材７を基準位置に配置させることができる。
【００２５】
以下、伝達機構１００の機能について説明する。ユーザや被験者がハンドル９を回転させると、それによって発生した駆動力は、ハンドル軸１０、第１プーリ１１、第１ベルト１４及び第２プーリ１２を介して円盤軸８へと伝達される。これにより、円盤部材７が、被験者がハンドル９を回転させたのと同じ方向に同じ角度だけ回転する。
【００２６】
ここで、被験者が静止したハンドル９を回転させるのに必要な力は、静止状態で第１ベルト１４に作用している張力が大きいほど大きい。第１ベルト１４の張力は、第１プーリ１１の回転に抗する力となるためである。ハンドル９を回転させるのに必要な力が被験者にとって大きすぎる場合には、本装置による検査を円滑に実施できないおそれがある。一方、第１ベルト１４が弛みすぎていると、ハンドル９を回転させても第１ベルト１４の歯が第１プーリ１１の歯や第２プーリ１２の歯に噛み合わず、駆動力が円滑に伝達されないおそれもある。
【００２７】
そこで、本実施形態では、ハンドル軸支部材４０を以下の通りに回転させることで、第１ベルト１４の張り具合、つまり、第１プーリ１１の回転に抗する力の大きさを調整できる。まず、第１ベルト１４が弛みすぎている場合には、緊締具４７を緩めると共に、ストッパーボルト４５をストッパー板４４から後退させ、離隔させる（図３（ｂ）参照）。これにより、ストッパーボルト４５とストッパー板４４との間に、ハンドル軸支部材４０を図３（ｂ）において時計回りに回転させるのに必要なスペースを確保できる。
【００２８】
そして、ハンドル軸支部材４０を時計回りに回転させる。これにより、ハンドル軸１０と連結された第１プーリ１１の回転軸が下方に移動するため、第１プーリ１１及び第２プーリ１２間の距離が大きくなる。よって、第１ベルト１４の張りが強くなる。この状態で、緊締具４７を固定板１６に対して締め付け、ハンドル軸支部材４０を固定する。さらに、ストッパーボルト４５をストッパー板４４に向かって突出させると共に、支持金具４６を図３（ｂ）の矢印Ｅの方向に回転させてボルト頭の表面がストッパー板４４の表面に平行に配置されるようにストッパーボルト４５の位置を調整する。これにより、ストッパーボルト４５をストッパー板４４に当接させ、ストッパー板４４を支持させる。
【００２９】
一方、第１ベルト１４が張りすぎている場合には、緊締具４７を緩めた後、ハンドル軸支部材４０を図３（ｂ）において反時計回りに回転させる。これにより、ハンドル軸１０と連結された第１プーリ１１の回転軸が上方に移動するため、第１プーリ１１及び第２プーリ１２間の距離が小さくなる。よって、第１ベルト１４の張りが弱くなる。そして、ストッパーボルト４５をストッパー板４４に向かって突出させると共に、支持金具４６を図３（ｂ）の矢印Ｅの方向に回転させてボルト頭の表面がストッパー板４４の表面に平行に配置されるようにストッパーボルト４５の位置を調整する。これにより、ストッパーボルト４５をストッパー板４４に当接させ、ストッパー板４４を支持させる。
【００３０】
なお、本実施形態の伝達機構１００のうち、ハンドル９と円盤部材７とを連動させる第１プーリ１１、第２プーリ１２及び第１ベルト１４が、本発明における第１の連動手段に対応する。また、円盤部材７とエンコーダ３３の軸３３ａとを連動させる第２プーリ１２及び第２ベルト１５が、本発明における第２の連動手段に対応する。さらに、第１プーリ１１及び第２プーリ１２間の距離を調節可能に構成されたハンドル軸支部材４０、緊締具４７、ストッパー板４４及びストッパーボルト４５が、本発明における調節手段に対応する。
【００３１】
伝達機構収容部５の側面には、図３（ａ）に示すように、表示器５２及び操作ボタン５３が設けられている。表示器５２は、最大で５桁の数値や文字、符号等の記号をデジタル表示する機器である。表示器５２は、後述の制御部３２からの制御信号に基づき、数値等の記号を表示する。操作ボタン５３は、装置の状態をユーザが操作するためのボタンである。伝達機構収容部５には、ボタンボックス５４からのケーブルが接続される接続部５ａが設けられている。ボタンボックス５４の上面には、被験者が押下する決定ボタン５５が設けられている。操作ボタン５３及び決定ボタン５５が押下されると、ボタン押下を示す信号がそれぞれ後述の制御部３２に出力される。
【００３２】
制御ボックス４は、表面や内部に電子基板や各種のスイッチ等、装置の電気系の構成を主に収容している。制御ボックス４の側面には、図１に示すように、電源スイッチ６１及び明度調整スイッチ６２が設けられている。電源スイッチ６１は、検査装置１のオン及びオフを切り替えるスイッチである。明度調整スイッチ６２には十字の溝が形成されており、プラスドライバーで回転させることができる。明度調整スイッチ６２の回転方向に関する位置は発光体３１の明るさに対応している。例えば、図１の視点で時計回りに明度調整スイッチ６２を回すほど発光体３１からの光の強度が高いことに対応する。明度調整スイッチ６２の位置を示す信号は、後述の制御部３２に出力される。制御ボックス４の上面には水準器６３が設けられている。水準器６３の表示に従って鉛直方向に関する接地部２４の位置を調整することで、本体２を水平に配置できる。
【００３３】
制御ボックス４内には、エンコーダ３３及び制御部３２が設けられている。エンコーダ３３の軸３３ａには、上述の通り、第３プーリ１３との間に第２ベルト１５が掛け渡されている。この軸３３ａは、第２ベルト１５に形成された歯とちょうど噛み合うように形成された歯を有している。また、この軸３３ａは、図３（ａ）に示すように、第３プーリ１３と比べると径がかなり小さい。エンコーダ３３は、回転方向に関して所定の零点位置に対する軸３３ａの位置を計測し、計測結果を制御部３２に出力する。例えば、図３（ａ）の視点で、軸３３ａが零点位置に対して時計回りにα度（α＞０）回転している場合には、＋αを示す信号を制御部３２に出力する。一方、軸３３ａが零点位置に対して反時計回りにβ度（β＞０）回転している場合には、−βを示す信号を制御部３２に出力する。エンコーダ３３は、制御部３２から所定の制御信号が入力された場合に、その時点での軸３３ａの位置を零点位置に更新する。
【００３４】
制御部３２は、プロセッサ、メモリなどの記憶機器の他、各種の電子部品からなるハードウェアと、記憶機器に記憶されたソフトウェアとから構成されている。ソフトウェアとハードウェアとが協働して機能することにより、制御部３２の機能が実現されている。制御部３２には、図５に示すように、操作ボタン５３、決定ボタン５５、エンコーダ３３及び明度調整スイッチ６２から信号が入力される。制御部３２は、これらの入力信号に基づき、エンコーダ３３、表示器５２及び発光体３１を制御する。以下、制御部３２による一連の制御について、ユーザが本装置を使用して検査を実施する流れに沿って説明する。図６は、検査の流れを示すフローチャートである。
【００３５】
まず、ユーザが電源スイッチ６１をオンにする（ステップＳ１）。このとき、制御部３２は、起動したことを示す記号等を表示器５２に表示させた後、起動直後の待機状態であることを示す記号等を表示器５２に表示させる。そして、制御部３２は、図６に示すように、発光体３１をオンにする。このとき、制御部３２は、明度調整スイッチ６２からの入力信号に対応する明るさの光を射出するように発光体３１を制御する。以下、発光体３１がオンの状態の時には、制御部３２は、明度調整スイッチ６２からの入力信号に基づいて発光体３１からの光の強度を調整する。
【００３６】
次に、ユーザは、第３プーリ１３及び固定板１６のそれぞれに形成された孔の位置を合わせると共に、調整ピン５１を両方の孔に刺し通す。これによって、円盤部材７が基準位置に設定される（ステップＳ２）。次に、ユーザは、操作ボタン５３を長押しする（ステップＳ３）。制御部３２は、操作ボタン５３が押されたままの期間が所定の長さを超えたと判定すると、零点位置を更新するように指示する制御信号をエンコーダ３３へと出力する。これによって、エンコーダ３３は、円盤部材７が基準位置にあるときを零点位置に再設定する。また、制御部３２は、発光体３１をオフにする。
【００３７】
なお、操作ボタン５３が長押しされている間に、制御部３２が表示器５２に、操作ボタン５３を押した時間の長さを示す記号等を表示させてもよい。例えば、操作ボタン５３の長押しが開始されると、表示器５２に複数本のバーを「−−−−」のように表示させる。操作ボタン５３が押されている間、このバーを一本ずつ消していく。そして、所定の時間が経過し、全てのバーを消したら、零点位置を更新すると共に、零点位置を更新したことを示す「０°」を表示器５２に表示させる。
【００３８】
次に、ユーザは、調整ピン５１を孔から抜き取った後、基準位置から所定の角度（例えば、＋４０度）だけハンドル９を回転させ、ハンドル９の位置を初期設定する（ステップＳ４）。次に、ユーザは、操作ボタン５３を押す（ステップＳ５）。制御部３２は、操作ボタン５３の押下を示す操作ボタン５３からの入力信号に基づき、発光体３１をオンにすると共に、検査モードを開始する。検査モードでは、被験者が窓部６から円筒部３内を覗き、円盤部材７上に表示された棒状の像を目視しつつ、ハンドル９を回転させる（ステップＳ６）。被験者は、円盤部材７上の像が垂直に沿ったと認識したら、決定ボタン５５を押下する（ステップＳ７）。
【００３９】
制御部３２は、決定ボタン５５の押下を示す決定ボタン５５からの入力信号に基づき、その時点でのエンコーダ３３からの入力信号が示す角度を表示器５２に表示させると共に、その表示を維持させる（ステップＳ８）。また、制御部３２は、発光体３１をオフにする。ユーザは、表示器５２の表示に基づき、検査結果を記入する。そして、ユーザがハンドル９を所定の角度だけ回転させる（ステップＳ９）。制御部３２は、エンコーダ３３からの入力信号に基づき、円盤部材７が基準位置から所定の角度（例えば、５度）以上回転したと判定すると、１回の検査を終了する。そして、次の検査に関するステップＳ４からの工程が繰り返される。
【００４０】
以上説明した本実施形態の検査装置によると、ハンドル９が円筒部３の下方に配置されている。このため、被験者が円筒部３内を目視しつつハンドル９を操作する際、顔の位置よりも下方に手を置くことができ、操作しやすい。また、ハンドル軸支部材４０を回転させることにより、第１プーリ１１と第２プーリ１２との間の距離を変更可能である。これによって、被験者がハンドル９を円滑に回転できるように第１ベルト１４の張り具合を調整できる。さらに、窓部６が弾性材料からなるため、顔面を押し付けた際に窓部６が密閉されやすく、外部からの光が円筒部３内に入りにくい。このため、光が入りやすく円筒部３内の構造が目視されやすい場合と比べて、検査の精度が高い。
【００４１】
以下、本実施形態の変形例について説明する。
【００４２】
［１］上述の実施形態では、基準位置からの円盤部材７の角度をエンコーダ３３が検出し、表示器５２が角度を表示する。しかし、例えば第２プーリ１２に角度に関する目盛りが形成されており、その目盛りをユーザが目視で読み取ることにより検査結果を検出できるように、本装置が構成されていてもよい。
【００４３】
［２］上述の実施形態では、ハンドル９と円盤部材７とを連動させる連動手段がプーリとベルトにより構成されている。しかし、これら以外により連動手段が構成されていてもよい。例えば、プーリとベルトの代わりに複数のギアが設けられており、このギアがハンドル９の回転を円盤部材７に伝達するように連動手段が構成されていてもよい。この場合、ハンドル９やギアの回転に抗する力を発生させる構成と、その力を調整する構成とが設けられていることが好ましい。例えば、ハンドル軸１０やギアの軸に当接し、これらの回転に抗するような摩擦力を発生させるブレーキ部材と、このブレーキ部材を軸に押し付ける力を調節可能な調節機構とを設けることが考えられる。なお、本変形例によると、ギアが本発明の伝達部材に対応する。
【００４４】
［３］上述の実施形態では、円盤部材７内の光源として、チューブ状の発光体３１が設けられている。しかし、複数のＬＥＤ電球が直線状に配列されてもよい。また、液晶ディスプレイなど、その他の表示方式が用いられてもよい。
【００４５】
［４］上述の実施形態では、主に自覚的視性垂直位検査を実施する場合が想定されているが、自覚的視性水平位検査を実施する場合に本発明が適用されてもよい。この場合、スリット７ａが水平に配置される位置が円盤部材７の基準位置となるように装置が構成されればよい。
【００４６】
［５］上述の実施形態では、検査の流れに応じて発光体３１をオンにしたりオフにしたりしている。しかし、このように発光体３１のオン・オフが変化するモードと、装置の電源がオンになっている期間は常に発光体をオンにするモードとを切り替え可能に装置が構成されていてもよい。
【符号の説明】
【００４７】
１          検査装置
３          円筒部
３ａ        開口
６          窓部
７          円盤部材
７ａ        スリット
９          ハンドル
１１〜１３  プーリ
１４，１５  ベルト
３１        光源
３２        制御部
３３        エンコーダ
４０        ハンドル軸支部材
５２        表示器
１００      伝達機構
【図１】
2013094661.tif 000003
【図２】
2013094661.tif 000004
【図３】
2013094661.tif 000005
【図４】
2013094661.tif 000006
【図５】
2013094661.tif 000007
【図６】
2013094661.tif 000008